(57)【要約】【課題】  外観に変化を持たせて豪華な外観にできる建物の付け柱の天端の仕舞い構造を提供する。【解決手段】  建物１の外壁２に外壁２の外面より外方に突出する飾り柱状の付け柱３を建物１の下端からバルコニー４に至るように設ける。付け柱３の上端部に対応する位置でバルコニー４の腰壁５の上端より上方に突出する突出柱部６を付け柱３に連続するように形成する。バルコニー４の腰壁５の内面から付け柱３の外面に至る厚さの突出柱部６の上端部に突出柱部６の上端部を全面に亙って覆うように天面キャップ７を被せる。突出柱部６の上端面のバルコニー４側に引っ掛け金具８を装着すると共に天面キャップ７の上部の内面のバルコニー４側に装着した被引っ掛け金具９を突出柱部６に被せた天面キャップ７をバルコニー４側にスライドさせることで上記引っ掛け金具８に引っ掛け係止する。天面キャップ７の屋外側の外面から突出柱部６に固着具１０を打入する。【選択図】        図１
2005240320.tif 000002
【特許請求の範囲】
【請求項１】
建物の外壁に外壁の外面より外方に突出する飾り柱状の付け柱を建物の下端からバルコニーに至るように設け、付け柱の上端部に対応する位置でバルコニーの腰壁の上端より上方に突出する突出柱部を付け柱に連続するように形成し、バルコニーの腰壁の内面から付け柱の外面に至る厚さの突出柱部の上端部に突出柱部の上端部を全面に亙って覆うように天面キャップを被せ、突出柱部の上端面のバルコニー側に引っ掛け金具を装着すると共に天面キャップの上部の内面のバルコニー側に装着した被引っ掛け金具を突出柱部に被せた天面キャップをバルコニー側にスライドさせることで上記引っ掛け金具に引っ掛け係止し、天面キャップの屋外側の外面から突出柱部に釘、ビス等の固着具を打入して成ることを特徴とする建物の付け柱の天端の仕舞い構造。
【請求項２】
天面キャップの外周の周壁部に内方に凹没する凹条を全周に亙って設けると共に凹条の下方に外方に向けて突出するスカート部を設け、天面キャップの屋外側で凹条から突出柱部に釘、ビス等の固着具を打入して成ることを特徴とする請求項１記載の建物の付け柱の天端の仕舞い構造。  
【発明の詳細な説明】
【技術分野】
【０００１】
本発明は、建物の外観を豪華にするために付け柱の天端を仕舞う構造に関するものである。
【背景技術】
【０００２】
従来から、建物の外壁に外壁の外面より外方に突出する飾り柱状の付け柱が建物の下端からバルコニーに至るように設けることが行われている（例えば特許文献１参照）。かかる例では付け柱の上端とバルコニーの腰壁の上端とが同じ高さ位置になるように設けられている。このバルコニーの腰壁の上端には腰壁の上端を長手方向に亙って覆うように笠木状のキャップ材が被着され、キャップ材の上方に手摺りが装着されている。また上記キャップ材の幅は自在に調整できるようになっており、付け柱のある部分では付け壁及びバルコニーの腰壁に亙るようにキャップ材を被着してある。
【特許文献１】特開２００１−９８７３３号公報
【発明の開示】
【発明が解決しようとする課題】
【０００３】
ところで、上記従来例にあっては、建物の外壁に飾り柱状の付け柱を設けてあるために豪華な外観になるが、付け柱の上端とバルコニーの上端が面一になっているためにに外観に変化が乏しいという問題があり、殊にバルコニー側から見たときに付け柱があることがわかりにくくて外観の豪華さに欠けるという問題がある。
【０００４】
本発明は上記の従来の問題点に鑑みて発明したものであって、外観に変化を持たせて豪華な外観にできる建物の付け柱の天端の仕舞い構造を提供することを課題とするものである。
【課題を解決するための手段】
【０００５】
上記課題を解決するために本発明に係る建物の付け柱の天端仕舞い構造は、建物１の外壁２に外壁２の外面より外方に突出する飾り柱状の付け柱３を建物１の下端からバルコニー４に至るように設け、付け柱３の上端部に対応する位置でバルコニー４の腰壁５の上端より上方に突出する突出柱部６を付け柱３に連続するように形成し、バルコニー４の腰壁５の内面から付け柱３の外面に至る厚さの突出柱部６の上端部に突出柱部６の上端部を全面に亙って覆うように天面キャップ７を被せ、突出柱部６の上端面のバルコニー４側に引っ掛け金具８を装着すると共に天面キャップ７の上部の内面のバルコニー４側に装着した被引っ掛け金具９を突出柱部６に被せた天面キャップ７をバルコニー４側にスライドさせることで上記引っ掛け金具８に引っ掛け係止し、天面キャップ７の屋外側の外面から突出柱部６に釘、ビス等の固着具１０を打入して成ることを特徴とする。
【０００６】
上記のように付け柱３の上端部が腰壁５の上端より上方に突出し且つ付け柱３の厚さと腰壁５の厚さの和の厚さの厚い突出柱部６となると共にこの突出柱部６の上端が天面キャップ７で覆われるようになるものであって、付け柱３の上端部がバルコニー４の腰壁５と区別できると共に重厚感のある外観となって豪華な外観となるものである。殊にバルコニー４側から見たときの外観が豪華になるものである。しかも突出柱部６の上端面のバルコニー４側に引っ掛け金具８を装着すると共に天面キャップ７の上部の内面のバルコニー４側に装着した被引っ掛け金具９を突出柱部６に被せた天面キャップ７をバルコニー４側にスライドさせることで上記引っ掛け金具８に引っ掛け係止し、天面キャップ７の屋外側の外面から突出柱部６に釘、ビス等の固着具１０を打入して天面キャップ７を取り付けていることにより、バルコニー４側から見たとき釘、ビス等の固着具１０が見えないように外観よく天面キャップ７を取り付けることができ、また固着具１０で固着しても固着具１０が露出するのは屋外側であるために外観上固着具１０が殆ど見えず外観よく施工することができる。
【０００７】
また天面キャップ７の外周の周壁部に内方に凹没する凹条１１を全周に亙って設けると共に凹条１１の下方に外方に向けて突出するスカート部１２を設け、天面キャップ７の屋外側で凹条１１から突出柱部６に釘、ビス等の固着具１０を打入して成ることを特徴とすることも好ましい。天面キャップ７が凹条１１とスカート部１２を有することにより天面キャップ７が豪華な外観となる。またスカート部１２は水切りの機能も兼ねており、スムーズに水切りされる。また天面キャップ７を釘、ビス等の固着具１０を打入して固着するものでも固着具１０が外観上見えなくできて一層外観を向上できる。
【発明の効果】
【０００８】
本発明は叙述の如く付け柱の上端部が腰壁の上端より上方に突出し且つ付け柱の厚さと腰壁の厚さの和の厚さの厚い突出柱部となると共にこの突出柱部の上端が天面キャップで覆われるようになるものであって、付け柱の上端部がバルコニーの腰壁と区別できると共に重厚感のある外観となって豪華な外観となるという効果があり、殊にバルコニー側から見たときの外観が豪華になるという効果があり、しかもバルコニー側から見たとき釘、ビス等の固着具が見えないように天面キャップを外観よく取り付けることができるという効果があり、また固着具で固着しても固着具が露出するのは屋外側であるために外観上固着具が殆ど見えず外観よく施工することができるという効果がある。
【発明を実施するための最良の形態】
【０００９】
以下、本発明を添付図面に示す実施形態に基いて説明する。
【００１０】
建物１の外壁２には図７に示すように外壁２の外面より外方に突出する飾り柱状の付け柱３を建物１の下端からバルコニー４に至るように設けてある。バルコニー４の縁部には腰壁５が立設されている。この腰壁５は図１、図４に示すように芯材１３の両面に面板１４，１５を貼った壁パネル１６にて形成されている。このバルコニー４の下方でも上記と同じ構造の壁パネル１６を装着してある。この壁パネル１６の外面側に突出するように付け柱３が設けられるのであるが、壁パネル１６の面板１４の外面側は下地材１７が上下方向に亙るように配置され、この下地材１７が壁パネル１６に釘等による固着で取り付けられている。この下地材１７に沿って下地材１８が上下方向に亙って配置され、この下地材１８が下地材１７に釘等による固着で取り付けられている。下地材１７の上端や下端には水平方向に長い下地材１９が配置され、下地材１９が下地材１７に釘等による固着で取り付けられている。下地材１７や下地材１９に沿って下地板２０が配置され、下地板２０が釘等による固着にて下地材１７や下地材１９に取り付けられている。外装材２１は例えば図１に示すように外面に多数のタイル２２を装着して形成されており、この外装材２１が下地板２０に取り付けることで貼られている。なお、図４や図５では外装材２１の外面に設けられるタイル２２を省略して図示してあるが、実際には外装材２１の外面にタイル２２が貼られているものである。付け柱３のない部分ではバルコニー４の腰壁５の外面にも上記外装材２１が貼られ、またその他の外壁２の外面にも上記外装材２１が貼られている。
【００１１】
上記のように付け柱３が形成されるが、付け柱３の上端はバルコニー４の腰壁５の上端より上方に突出しており、この腰壁５より上方に突出した部分が突出柱部６となっている。この突出柱部６は付け柱３の厚さと腰壁５の厚さの和の厚さとなっている。腰壁５の壁パネル１６の上端上には水平方向に長い下地材２３を載設して取り付けてあり、下地材２３の上には下地材２４を沿わせてあり、下地材２４から下地材２３に釘等の固着具２５を打入して下地材２３に下地材２４を取り付けてある。下地材２４の上方には下地材２６を立設してあり、下地材２６の上には水平方向に長い下地材２７を載設してあり、下地材２７から釘等の固着具２８を下地材２６に打入して下地材２７を取り付けてある。また下地材２７と下地材１９との間には下地材２９を介装してあり、下地材２７から下地材２９に釘等の固着具３０を打入して下地材２７を取り付けてある。下地材２４、下地材２６及び下地材２７のバルコニー４側の面には下地板２０が貼られており、この下地材２０には上記外装材２１が貼られている。このようにバルコニー４側にも外装材２１が貼られることにより、突出柱部６の外周面の全面に亙って外装材２１を貼ってある。腰壁５のバルコニー４側の面の上端とバルコニー４側の外装材２１の下端との間には水平方向に亙って水切り材３１が配置されており、水切り材３１が水切り材３１から下地材２３に打入したビス等の固着具３２にて取り付けられている。この突出柱部６に下地材１９や下地材２７の上には一対の水平方向に長い下地材３３を乗せてあり、釘のような固着具３４を下地材３３から下地材１９や下地材２７に打入して下地材３３を取り付けてあり、下地材３３の上には下地板３５を載せて貼り付けてある。
【００１２】
このような突出柱部６の上端を全面に亙って覆う天面キャップ７はステンレス鋼板のような金属板にて形成されており、天面キャップ７の上部は長手方向に亙って断面山形の笠部４１を有している。天面キャップ７の周囲の周壁部には全周に亙って内周方向に凹没する凹条１１を設けてあり、凹条１１の下端から外方に広がるスカート部１２を一体に連出してあり、スカート部１２の外周の下部には垂下縁１２ａを全周に亙って設けてある。かかる天面キャップ７の短手方向における凹条１１の底面間の間隔は上記下地板３５の幅よりも大きな寸法にしてある。この天面キャップ７の笠部４１の内面には被引っ掛け金具９が天面キャップ７の短手方向の一方に偏るように装着されている。この被引っ掛け金具９は断面略Ｚ字状に形成されており、上横片９ａが笠部４１の内面に装着されており、下の横片である引っ掛け片９ｂが外方に突出している。
【００１３】
突出柱部６の下地板３５の上面のバルコニー４側には引っ掛け金具８が装着されている。この引っ掛け金具８を下地板３５の上に装着することにより引っ掛け金具８の押さえ片８ａと下地板３５の上面との間に挿入隙間３６が形成される。押さえ片８ａはバルコニー４側と反対側に突出しており、押さえ片８ａの先端には上方に向けて傾斜せる挿入ガイド部３７を設けてある。また下地板３５の上面のバルコニー４側と反対側にはスペーサ３８が装着される。天面キャップ７を突出柱部６の上端に取り付ける場合、突出柱部６の上端に天面キャップ７を被せ、天面キャップ７をバルコニー４側にスライドさせ、被引っ掛け金具９の引っ掛け片９ｂを引っ掛け金具８側の挿入隙間３６に挿入して被引っ掛け金具９を引っ掛け金具８に引っ掛け係止して天面キャップ７のバルコニー４側が固定される。引っ掛け金具８に被引っ掛け金具９を引っ掛けるとき、挿入ガイド部３７があるためスムーズに引っ掛けることができる。天面キャップ７をバルコニー４側にスライドさせて引っ掛け金具８に被引っ掛け金具９を引っ掛け係止することにより下地板３５や下地材３３のバルコニー４側の面とバルコニー４側の凹条１１の底との間に隙間Ｓができ、天面キャップ７のバルコニー４側と反対の屋外側の凹条１１の底が下地板３５や下地材３３の屋外側の面に密着する。そして、天面キャップ７のバルコニー４側と反対の屋外側の凹条１１の底からビス等の固着具１０を下地材３３に打入して天面キャップ７が固定される。
【００１４】
バルコニー４の腰壁５の突出柱部６を設ける部分以外では腰壁５の壁パネル１６の上端に笠木状のキャップ材３９が被着され、キャップ材３９の上方に手摺り４０が装着される。
【００１５】
上記のように建物１に付け柱３が設けられ、付け柱３にて建物１の外観を向上できる。そしてこの付け柱３の上端部がバルコニー４の腰壁５の上端より上方に突出し、付け柱３の厚さと腰壁５の厚さの和の突出柱部６となり、この突出柱部６の上端に天面キャップ７を被着してあることにより、付け柱３の上端部がバルコニー４の腰壁５と区別できると共に重厚感のある外観となって豪華な外観となる。特にバルコニー４側から見たときに豪華な外観となる。また天面キャップ７を取り付けるとき、天面キャップ７のバルコニー４側は天面キャップ７内で引っ掛け金具８と被引っ掛け金具９が引っ掛けられて固定されるためにバルコニー４側から見たときに天面キャップ７を固定する手段が外観上見えなくてバルコニー４側から見た外観を向上できる。またバルコニー４側と反対側では天面キャップ７をビス等の固着具１０にて固着することで固定するといえども、凹条１１の底から固着具１０を打入するために外観上見えなく、外観を向上できる。
【図面の簡単な説明】
【００１６】
【図１】本発明の実施の形態の一例を示し、図３のＡ−Ａ線断面図である。
【図２】図３のＢ−Ｂ線断面図である。
【図３】バルコニーの部分の概略平面図である。
【図４】図１のＣ−Ｃ線断面図である。
【図５】図１のＤ−Ｄ線断面図である。
【図６】図１の引っ掛け金具や被引っ掛け金具の部分を拡大した断面図である。
【図７】同上の建物全体の概略斜視図である。
【図８】図７のＥ部のバルコニー側から見た斜視図である。
【符号の説明】
【００１７】
１  建物  
２  外壁
３  付け柱
４  バルコニー
５  腰壁
６  突出柱部
７  天面キャップ
８  引っ掛け金具
９  被引っ掛け金具
１０  固着具
１１  凹条
１２  スカート部
【図１】
2005240320.tif 000003
【図２】
2005240320.tif 000004
【図３】
2005240320.tif 000005
【図４】
2005240320.tif 000006
【図５】
2005240320.tif 000007
【図６】
2005240320.tif 000008
【図７】
2005240320.tif 000009
【図８】
2005240320.tif 000010